(57)【特許請求の範囲】
【請求項１】
複数のキーを有するキー操作部（３０）と、
送信信号を送信する送信手段（５０）とを有する携帯電話であって、
当該携帯電話の自己の位置を示す自己位置情報を取得するための前記キー操作部の操作に基づいて、前記自己の位置を示す自己位置情報を取得する自己位置取得手段（２１０）と、
前記自己位置取得手段が前記自己位置情報を取得した後、前記表示部の表示を前記送信信号の宛先を設定するための表示にして、前記キー操作部の操作により前記送信信号の宛先を設定する宛先設定手段（２３０〜２５０）と、
前記送信信号の宛先が設定され、前記送信信号を送信するための前記キー操作部の操作が行われると、前記自己位置情報の送信であることを識別する識別信号と前記自己位置情報とを含む位置通知信号を、前記送信信号として前記設定された宛先に送信させるように前記送信手段と制御する制御手段（２６０）と、
他の携帯電話から前記位置通知信号を受信し、その位置通知信号に含まれる前記識別信号に基づいて位置情報通知であることを判定したとき、位置情報通知があったことを前記表示部に表示させる手段（３１０）と、
前記位置情報通知があったことが前記表示部に表示された後、画像地図情報を要求するための前記キー操作部の操作が行われると、前記受信した前記位置通知信号に含まれる前記他の携帯電話の前記自己位置情報を含む画像地図情報の要求信号を前記送信手段から送信させ、前記要求信号を受信して前記要求信号に含まれる前記他の携帯電話の前記自己位置情報に対応した画像地図情報を送信する地図サーバから送信された前記画像地図情報を受信し、この受信した画像地図情報を前記表示部に表示させる手段（４３０〜４３２）と、を有することを特徴とする携帯電話。
【請求項２】
前記自己位置情報を取得するための前記キー操作部の操作は、前記自己位置情報を取得するための専用キー（３３）の操作であることを特徴とする請求項１に記載の携帯電話。
【請求項３】
前記表示部には、前記画像地図情報を表示する形態と、前記他の携帯電話から受信した前記位置通知信号に含まれる前記自己位置情報を文字で表示する形態とが、前記キー操作部にて切替表示されることを特徴とする請求項１または２記載の携帯電話。
【請求項４】
前記位置通知信号は、前記識別信号と前記自己位置情報とに加えて発信元の宛先を含むものであり、
他の携帯電話から前記位置通知信号を受信したとき、その位置通知信号を記憶するメモリ（９０）を有し、
前記キー操作部の操作により前記発信元の宛先が前記キー操作部で指定されると、その宛先に対応する自己位置情報を前記メモリから読み出し、その読み出した自己位置情報を前記要求信号に含むようにすることを特徴とする請求項１ないし３いずれか１つに記載の携帯電話。
【発明の詳細な説明】
【０００１】
【発明の属する技術分野】
本発明は、携帯電話に関する。
【０００２】
【従来の技術】
従来、携帯端末（ＰＤＡ）では、ＧＰＳ機能により自己位置情報を求めるものがある。
【０００３】
【発明が解決しようとする課題】
近年、携帯電話にＧＰＳ機能を搭載することが強く着目されており、本発明者は、携帯電話において、上述した携帯端末を基に、自己位置情報を求めることに加えて、その自己位置情報を任意の発信先に送信する機能を採用することを検討した。
【０００５】
したがって、本発明は、携帯電話において、自己位置情報を任意の発信先に送信できるようにすることを目的とする。
【０００６】
【課題を解決するための手段】
本発明は、上記目的を達成するために、請求項１に記載の発明では、複数のキーを有するキー操作部（３０）と、送信信号を送信する送信手段（５０）とを有する携帯電話であって、当該携帯電話の自己の位置を示す自己位置情報を取得するための前記キー操作部の操作に基づいて、前記自己の位置を示す自己位置情報を取得する自己位置取得手段（２１０）と、前記自己位置取得手段が前記自己位置情報を取得した後、前記表示部の表示を前記送信信号の宛先を設定するための表示にして、前記キー操作部の操作により前記送信信号の宛先を設定する宛先設定手段（２３０〜２５０）と、前記送信信号の宛先が設定され、前記送信信号を送信するための前記キー操作部の操作が行われると、前記自己位置情報の送信であることを識別する識別信号と前記自己位置情報とを含む位置通知信号を、前記送信信号として前記設定された宛先に送信させるように前記送信手段と制御する制御手段（２６０）と、他の携帯電話から前記位置通知信号を受信し、その位置通知信号に含まれる前記識別信号に基づいて位置情報通知であることを判定したとき、位置情報通知があったことを前記表示部に表示させる手段（３１０）と、前記位置情報通知があったことが前記表示部に表示された後、画像地図情報を要求するための前記キー操作部の操作が行われると、前記受信した前記位置通知信号に含まれる前記他の携帯電話の前記自己位置情報を含む画像地図情報の要求信号を前記送信手段から送信させ、前記要求信号を受信して前記要求信号に含まれる前記他の携帯電話の前記自己位置情報に対応した画像地図情報を送信する地図サーバから送信された前記画像地図情報を受信し、この受信した画像地図情報を前記表示部に表示させる手段（４３０〜４３２）と、を有することを特徴とする。
【０００７】
これにより、請求項１に記載の発明によれば、携帯電話において、自己位置情報を任意の発信先に送信することができる。また、請求項１に記載の発明によれば、上記した自己位置情報の送信に加え、他の携帯電話から送信された他の携帯電話の自己位置情報に対応した画像地図情報を表示することができる。なお、請求項２に記載の発明のように、自己位置情報を取得するためのキー操作部の操作を、自己位置情報を取得するための専用キー（３３）の操作とすれば、自己の位置情報を任意の相手先に送信する為の操作性を、良好にすることができる。
【０００８】
また、請求項３に記載の発明では、請求項１または２に記載の携帯電話において、表示部には、画像地図情報を表示する形態と、他の携帯電話から受信した位置通知信号に含まれる自己位置情報を文字で表示する形態とが、キー操作部にて切替表示されることを特徴とする。
【０００９】
また、請求項４に記載の発明では、請求項１ないし３のいずれか１つに記載の携帯電話において、位置通知信号は、識別信号と自己位置情報とに加えて発信元の宛先を含むものであり、他の携帯電話から位置通知信号を受信したとき、その位置通知信号を記憶するメモリ（９０）を有し、キー操作部の操作により発信先の宛先がキー操作部で指定されると、その宛先に対応する自己位置情報をメモリから読み出し、その読み出した自己位置情報を要求信号に含むようにすることを特徴とする。
【００１０】
因みに、上記各手段の括弧内の符号は、後述する実施形態に記載の具体的手段との対応関係を示す一例である。
【００１１】
【発明の実施の形態】
（第１実施形態）
図１に本発明に係る携帯電話システムの実施形態を示す。図１は携帯電話システムの概略構成を示す。図１に示すように、携帯電話システムは、携帯電話１Ａ、１Ｂ、基地局２Ａ、２Ｂ、管制センター３、及び地図サーバ４から構成されている。基地局２Ａは、携帯電話１Ａからの電波を媒体として送信信号を受信してその送信信号を管制センター３に出力する一方、基地局２Ａは、管制センター３からの送信信号を電波を媒体として携帯電話１Ａに送信する。
【００１２】
基地局２Ｂは、携帯電話１Ｂからの電波を媒体として送信信号を受信してその送信信号を管制センター３に出力する一方、基地局２Ｂは、管制センター３からの送信信号を電波を媒体として携帯電話１Ｂに送信する。管制センター３は、基地局２Ａ、２Ｂのうち一方からの送信信号を、その送信信号に応じて一方の基地局、他方の基地局、或いは地図サーバ４に出力する。但し、送信信号とは、後述する、送話及び受話における通話信号、位置通知信号、文字地図情報要求信号、及び画像地図情報要求信号のうちいずれか一つである。
【００１３】
以下、携帯電話として、携帯電話１Ａ、１Ｂのうち携帯電話１Ａを取り上げた例につき説明する。図２は、携帯電話１Ａの正面図である。携帯電話１Ａは、扁平状のケース１０、液晶パネル（表示部）２０、及びキー操作部３０を有し、キー操作部３０は、ケース１０の表面１１側に配設されている。キー操作部３０は、発信キー（開始キー）３１、ファンクションキー「Ｆ」３２、自己位置通知キー（図２では、ＧＰＳと表記する）３３、及びテンキー「０」〜「９」等の各種キーを有する。液晶パネル２０は、ケース１０の表面１１の開口部１２内に配設されている。
【００１４】
以下、携帯電話の電気回路構成について図３を参照して説明する。図３は電気回路構成を示すブロック図を示す。携帯電話は、図３に示すように、アンテナ４０、無線部５０、音声処理部６０、マイク７０、レシーバ８０、メモリ９０、ＧＰＳアンテナ１００、ＧＰＳ受信機１１０、及び制御部１２０から構成されている。マイク（送話部）７０は、使用者（ユザー）の音声を送話音声信号に変換し音声処理部６０に出力する。レシーバ（受話部）８０は、音声処理部６０からの受話音声信号に基づいて、通話相手からの受話音声を出力する。音声処理部６０は、制御部１２０により制御されて、無線部５０からの復調信号を受話音声信号に変換してレシーバ８０から出力させる一方、マイク７０からの送話音声信号を発信信号に変換し無線部５０に出力する。
【００１５】
無線部５０は、アンテナ４０を通して受信した受信の通話信号を復調信号に変換して音声処理部６０に出力する一方、音声処理部６０からの発信信号を変調して送話の通信信号をアンテナ４０を介して発信する。無線部５０は、制御部１２０に制御されて、受信及び送信の通話信号以外で、位置通知信号、文字地図情報要求信号、及び画像地図情報要求信号をアンテナ４０を介して発信する。メモリ９０は、制御部１２０のコンピュータプログラムとともに、複数の電話番号を記憶する。
【００１６】
ＧＰＳアンテナ１００は、３つのＧＰＳ衛星の各々からの搬送波を電磁波を媒体として受信し、各搬送波に基づいた各搬送波信号をＧＰＳ受信機１１０に出力する。なお、ＧＰＳアンテナ１００は、扁平状に形成された誘電体アンテナであって、図１に示すように、ケース１０内の表面１１側に配置されている。また、ＧＰＳ受信機１１０は、制御部１２０に制御されて、各ＧＰＳアンテナ１００の各々からの搬送波信号に基づいて自己位置を示す自己位置情報を求める。これにより、ＧＰＳ受信機１１０は、自己位置における緯度及び経度とを算出する。
【００１７】
制御部１２０は、マイクロコンピュータ等から構成されて、通話処理、自己位置情報通知処理、位置情報着信処理、位置情報表示処理を行う。以下、制御部１２０における自己位置情報通知処理を図４により説明する。制御部１２０は、図４に示すフローチャートに従って、自己位置情報通知処理を行う。自己位置情報通知処理は、待ち受け時にて、所定期間毎における割り込み処理として実行される。
【００１８】
先ず、キー操作部３０の自己位置通知キー（ＧＰＳ）３３が押下されたか否かを判定し（ステップ２００）、自己位置通知キー（ＧＰＳ）３３が押下されたとき、ステップ２１０に進む。すると、ＧＰＳ受信機１１０によって、自己位置における緯度及び経度を演算させて（ステップ２１０）、さらに、液晶パネル２０で、「発信先の電話番号をキー入力してください」という内容を表示させる（ステップ２２０）。これにより、発信先の電話番号のキー入力を利用者に促すことができる。
【００１９】
次に、キー操作部３０のキー入力待ち処理として、内蔵タイマーをセットするとともにキー入力されたキー種をメモリ９０に記憶する（ステップ２３０）。さらに、ステップ２４０に進み、上記内蔵タイマーの計時に基づいて一定期間の間にて、再び、キー入力されたとき、ステップ２３０に進んで、そのキー種を、先だって、メモリ９０に記憶されたキー種に続づくように記憶させる。このように、上記一定期間の間にて、ステップ２３０〜ステップ２４０の処理を繰り返して、メモリ９０では、押下されたキー種が配列される。これにより、メモリ９０には、配列されたキー種（以下、キー種列という）が、電話番号として記憶されることになる。
【００２０】
次に、ステップ２５０で、発信キー３１が押下されたとき、上記キー種列を発信先の電話番号として位置通知信号を発信させるように無線部６０を制御する（ステップ２６０）。これにより、無線部６０は、位置通知信号をアンテナ４０から電波を媒体として送信させることができる。ここで、基地局２Ａは、電波を媒体とする位置通知信号を受信して、その位置通知信号を管制センター３に送信する。但し、位置通知信号には、その識別信号に加えて、自己位置における緯度及び経度、及び、電話番号が含まれている。因みに、携帯電話の制御部１２０においては、位置通知信号の送信処理後にて、通話処理を音声処理部６０及び無線部５０にて行わせる（ステップ２７０）。
【００２１】
次に、制御部１２０における位置情報着信処理について図５に基づいて説明する。先ず、待ち受け状態にて、位置通知信号を受信したか否かを判定する（ステップ３００）。具体的には、位置通知信号の識別信号に基づいて位置通知信号を受信したか否かを判定し、位置通知信号を受信したとき、その受信の旨を液晶パネル２０に表示させる（ステップ３１０）。例えば、図７（ａ）に示すように、位置通知信号に含まれた発信先の電話番号を識別して、「電話番号090-0123×-○△×の方から位置情報通知がありました」という内容を液晶パネル２０に表示させる。その後、位置通知信号として、緯度、経度、及び電話番号をメモリ９０に記憶させる（ステップ３２０）。
【００２２】
次に、制御部１２０における位置情報表示処理について図６を参照して説明する。先ず、待ち受け状態にて、機能番号「Ｆ２」がキー操作部の操作に応じて入力されたとき（「Ｆキー」及びテンキー「２」が押下されたとき）、液晶パネル２０にて「位置情報に該当する相手先の電話番号をキーしてくだい」という内容の表示を行う。そこで、キー操作部３０の操作に応じて電話番号がキー入力されると、その電話番号に対応する緯度及び経度をメモリ９０から読み出す（ステップ４００）。
【００２３】
次に、液晶パネル２０にて、地図情報の表示を「文字表示」或いは「画像表示」で行うかの選択の表示を行う（ステップ４１０）。例えば、図７（ｂ）に示すように、「キー入力で選択してください：「１」画像表示「２」文字表示」という内容の表示を液晶パネル２０で行う。ここで、キー操作部３０のテンキー「１」が押下されたとき、「１」画像表示が選択されたとして、ステップ４３０に進む。
【００２４】
次に、緯度及び経度を含む画像地図情報の要求信号を無線部５０によって、アンテナ４０から電波を媒体として送信させる。その後、基地局１Ａからアンテナ４０を通して無線部５０に画像地図情報を示す送信信号が受信されると（ステップ４３１）、図７（ｃ）に示すように、画像地図情報とともに位置情報（図７（ｃ）中の二重丸部分６００にて示す）を液晶パネル２０に表示させる（ステップ４３２）。
【００２５】
また、ステップ４１０で、キー操作部３０のテンキー「２」が押下されたとき、「２」文字表示が選択されたとして、ステップ４４０に進む。すると、緯度及び経度を含む文字地図情報の要求信号を無線部５０によって、アンテナ４０から電波を媒体として送信させる。その後、基地局１Ａからアンテナ４０を通して無線部５０に文字地図情報を示す送信信号が受信されると（ステップ４４１）、図７（ｄ）に示すように、文字地図情報を文字で液晶パネル２０に表示させる（ステップ４４２）。なお、図７（ｄ）に示す例では、液晶パネル２０にて、「ＪＲ刈谷駅前です」という内容を表示させている。
【００２６】
次に、地図サーバ４における地図情報の配信処理について図８によって説明する。先ず、文字地図情報要求信号及び画像地図情報要求信号の一方が基地局１Ａを通して管制センター３を通して受信され（ステップ５００）、その受信された要求信号が画像地図情報要求信号のとき（ステップ５１０）、ステップ５２０に進んで、地図データベース５３０で緯度及び経度に対応した画像地図情報を検索してその画像地図情報を管制センター３を通して基地局２Ａに送信する（ステップ５２１）。よって、基地局２Ａは、画像地図情報を示す送信信号を電波を媒体として送信する。
【００２７】
また、ステップ５１０にて、受信された要求信号が文字地図情報要求信号のとき、ステップ５４０に進んで、地図データベース５３０で緯度及び経度に対応した文字地図情報を検索して、その文字地図情報信号を管制センター３を通して基地局２Ａに送信する（ステップ５２１）。よって、基地局２Ａは、文字地図情報信号を電波を媒体として送信する。
【００２８】
以下、本実施形態の特徴を述べる。携帯電話において、自己位置通知キー（ＧＰＳ）３３の押下に加えて、送信信号の宛先を設定する操作部２０の操作だけで、自己位置情報を送信できるため、携帯電話において、良好な操作性を確保しつつ、自己の位置情報を任意の相手先に送信できる。ここで、位置情報を受信した携帯電話では、操作部３０の操作に応じて位置情報を地図情報とともに液晶パネル２０に表示させ得るため、その表示を視認しながら通話を行うことが可能になる。
【００２９】
また、携帯電話において、位置情報と地図情報との双方の情報を、図７（ｄ）に示すように文字地図情報として、液晶パネル２０で表示させるときには、図７（ｃ）に示すように画像地図情報として、液晶パネル２０で表示させる場合に比べて、データ量が少なくできるので、液晶パネル２０に表示させる処理を簡略化できる。また、位置情報と地図情報との双方の情報を受信するにあたり、その受信処理を簡略化できる。
【００３０】
なお、本発明の実施にあたり、ＧＰＳ受信機１１０にて位置情報を求める場合に限らず、３つ以上の基地局からの送信信号を基に三角法にて位置情報を求めるようにしてもよい。
【００３１】
さらに、上記第１実施形態では、ＧＰＳ受信機１１０としては、自己位置情報として緯度及び経度を求める例について説明したが、これに限らず、各ＧＰＳ衛星の各々から発信される搬送波に応じて搬送波信号を無線部５０からアンテナ４０を通して電波を媒体として基地局２Ａに送信し、基地局２Ａで、搬送波信号に応じて緯度及び経度を求めるようにしてもよい。
【００３２】
また、本発明の実施にあたり、携帯電話に限らず、ＰＨＳ等の移動体通信機器に適用してもよい。
【図面の簡単な説明】
【図１】本発明の実施形態に係る携帯電話システムの構成を示す図である。
【図２】図１に示す携帯電話の斜視図である。
【図３】図１に示す携帯電話の電気回路構成を示すブロック図である。
【図４】上記携帯電話の制御部の作動の一部を示すフローチャートである。
【図５】上記携帯電話の制御部の作動の一部を示すフローチャートである。
【図６】上記携帯電話の制御部の作動の一部を示すフローチャートである。
【図７】  上記携帯電話の液晶パネルの表示を示す図である。
【図８】図１に示す地図サーバの作動を示すフローチャートである。
【符号の説明】
２０…液晶パネル、３０…キー操作部、３１…発信キー、３２…ファンクションキー「Ｆ」、３３…自己位置通知キー、４０…アンテナ、５０…無線部、６０…音声処理部、７０…マイク、８０…レシーバ８０、９０…メモリ、１００…ＧＰＳアンテナ、１１０…ＧＰＳ受信機、１２０…制御部。
【図１】
0004062871.tif 000002
【図２】
0004062871.tif 000003
【図３】
0004062871.tif 000004
【図４】
0004062871.tif 000005
【図５】
0004062871.tif 000006
【図６】
0004062871.tif 000007
【図７】
0004062871.tif 000008
【図８】
0004062871.tif 000009